(57)【特許請求の範囲】
【請求項１】
主流から分岐した取水路の取水口に配置されたスクリーンと、スクリーンの前段に配置される網場とを備え、該網場は、フロートと、フロートの下方に連結された網材とを備え、前記フロート及び網材が主流側と取水路側とに区切るように配置される取水口用の塵芥除去設備において、取水口を画定すべく対向する一対の護岸の一方に、網場の一端側が上下方向に移動自在で且つ上下方向に延びる軸線周りで回転自在に取り付けられ、該網場を前記軸線周りで回転させて主流側と取水路側とに区切る状態と主流側に延出した状態とに切り換える切換手段を備えていることを特徴とする取水口用の塵芥除去設備。
【請求項２】
前記切換手段は、他方の護岸に取り付けられ、主流側に延出して少なくとも先端側に滑車が設けられたアーム体と、他方の護岸に取り付けられ、前記滑車に掛けられたロープの両端が巻き付けられるウインチとを備え、前記ロープの一部が網場の他端側に連結されている請求項１に記載の取水口用の塵芥除去設備。
【請求項３】
前記網場の一端側を支持する支持手段を備え、該支持手段は、一方の護岸に取り付けられ、上下方向に延びるガイドバーと、ガイドバーに対して軸心方向に移動可能で且つ前記軸心周りで回転自在に外嵌され、網場の一端部が連結された筒状の回転部材とを備えている請求項１又は２に記載の取水口用の塵芥除去設備。
【請求項４】
前記網場の一端側を支持する支持手段を備え、該支持手段は、上下方向に延びるレールと、網場の一端部が連結され、前記レールに沿って移動自在なスライダーと、一方の護岸に取り付けられ、レールが前記軸線周りで回転可能に連結されたヒンジとを備え、前記レールは、基端側が前記ヒンジに連結され、上下方向に延びて互いに対向する一対の対向部と、該一対の対向部の先端部から相手側の対向部に向けて突出した抜止部とを備え、前記スライダーは、前記抜止部間よりも幅広に設定されて一対の対向部間に介装される被案内部と、被案内部に連設されて前記抜止部間に介装されるとともに、網場の一端が直接的又は間接的に連結される連結首部とを備えている請求項１又は２に記載の取水口用の塵芥除去設備。
【請求項５】
前記他方の護岸に取り付けられ、網場の他端部を上下方向に案内するガイドレールを備え、前記ガイドレールは、上下方向に延びて互いに対向する一対の対向片部と、該対向片部の基端同士を連結する接続部とを備え、一対の対向片部間に網場の他端部が介在して該網場を案内する第一の規定位置と、一対の対向片部間から網場の他端部が離脱して該網場の案内を解除した第二の規定位置との間で位置変更可能に設けられている請求項１乃至４の何れか１項に記載の取水口用の塵芥除去設備。
【請求項６】
前記他方の護岸に取り付けられ、網場の他端部を上下方向に案内するガイドレールを備え、前記ガイドレールは、上下方向に延びて互いに対向する一対の対向片部と、該対向片部の基端同士を連結する接続部とを備え、一方の対向片部が、接続部側で上下方向に延びる軸線周りで回転可能に設けられ、一対の対向片部間に網場の他端部を介在させることで上下方向に案内する一方、一方の対向片部を回転させることで、網場の回転を許容するように構成されている請求項１乃至４の何れか１項に記載の取水口用の塵芥除去設備。
【発明の詳細な説明】
【技術分野】
【０００１】
本発明は、主流から分岐した取水路の取水口で浮遊物や混入物等の塵芥を除去するための取水口用の塵芥除去設備に関する。具体的には、河川やダム等の主流から発電装置に水を取り込むべく、主流から分岐した取水路の取水口で塵芥を除去するための取水口用の塵芥除去設備に関する。
【背景技術】
【０００２】
従来から、水力発電設備には種々タイプのものがあるが、その一つとして河川やダム等の主流から取水してその水を発電装置（タービン）に取り込む（供給する）ことで発電を行うようにしたものがある。かかる水力発電設備は、主流から分岐した取水路を介して発電装置に水を供給するようになっているが、水に混入する落ち葉等の自然物や、不法投棄等による廃棄物等（以下、これらを総称して塵芥という）が流れ込むと発電装置が破損するとして、通常、取水路の入口（取水口）には、水の流通を許容しつつ塵芥の通過を阻止するスクリーンが設置されている。
【０００３】
該スクリーンは、複数の桟が所定間隔をあけて並設されたり、縦横に桟を組んで格子状にされたりしており、その桟によって塵芥の通過を阻止する一方、桟の間を介して水の流通を許容するようになっている。
【０００４】
ところで、台風や大雨の後の河川やダム等には、流木等の大きな浮遊物が流れることが多く、その浮遊物がスクリーンを破壊させたりスクリーンを詰まりさせたりする虞があるとして、スクリーンの前段に浮遊物の通過を阻止するための網場が設けられている。
【０００５】
前記網場は、フロートと、該フロートの下方に連結されて上下方向で所定幅に設定された網材とで構成されており、フロート及び網材がスクリーンの前段で主流側と取水路側とに区切るように配置されている。これにより、該網場は、水位に対応して上下に移動し、その水面上を浮遊する浮遊物の通過を阻止しつつ取水口への水の供給を可能としている。
【０００６】
しかしながら、前述の如く、前記網場で浮遊物の通過を阻止すると、上流側から順々に流れてくる浮遊物が網場に漂着してしまい、取水路への取水が害されたり、漂着した浮遊物が網場を超えて（網材の下方から）スクリーン側に流れてしまったりする場合がある。
【０００７】
そのため、網場に漂着した浮遊物を除去する必要があるが、一般的に護岸の上面から水面までの距離が遠いため、護岸から浮遊物を直接除去することは困難である。また、作業者が水面近くにまで行けたとしても、浮遊物が大きな流木等であるため、人手によって浮遊物を除去することは困難である。
【０００８】
そこで、網場の一端部を昇降手段によって水面から持ち上げ、網場に漂着した浮遊物を下流側に流して除去するものが提案されている（例えば、特許文献１参照）。
【特許文献１】特開２００４−１００１６９号公報
【発明の開示】
【発明が解決しようとする課題】
【０００９】
しかしながら、上記構成の塵芥除去設備は、上述の如く、網場を水面から持ち上げることで、該網場の下流側（スクリーン側）に浮遊物を流すように構成されているため、網場を設置する本来の目的に反するものである。すなわち、上記構成の塵芥除去手段は、網場に漂着していた塵芥を除去することで、該浮遊物が下流側に流れて後段のスクリーンを破損させたり詰まらせたりするといった問題がある。
【００１０】
そこで、本発明は、斯かる実情に鑑み、網場に漂着した浮遊物をスクリーン側に流すことなく簡単に除去することができ、取水路の円滑な水の流通を確保することのできる取水口用の塵芥除去設備を提供することを課題とする。
【課題を解決するための手段】
【００１１】
本発明に係る取水口用の塵芥除去設備は、主流から分岐した取水路の取水口に配置されたスクリーンと、スクリーンの前段に配置される網場とを備え、該網場は、フロートと、フロートの下方に連結された網材とを備え、前記フロート及び網材が主流側と取水路側とに区切るように配置される取水口用の塵芥除去設備において、取水口を画定すべく対向する一対の護岸の一方に、網場の一端側が上下方向に移動自在で且つ上下方向に延びる軸線周りで回転自在に取り付けられ、該網場を前記軸線周りで回転させて主流側と取水路側とに区切る状態と主流側に延出した状態とに切り換える切換手段を備えていることを特徴とする。
【００１２】
上記取水口用の塵芥除去設備によれば、主流から分岐した取水路の取水口に配置されたスクリーンと、スクリーンの前段に配置される網場とを備え、該網場は、フロートと、フロートの下方に連結された網材とを備え、前記フロート及び網材が主流側と取水路側とに区切るように配置されるので、網場によって流木等の浮遊物がスクリーン側に通過するのを防止することができる。また、スクリーンにより、網場を通過した水に混じった落ち葉等の混入物が取水路に流れ込むことを防止することができる。
【００１３】
そして、スクリーン側への通過が阻止された浮遊物が網場に漂着していくことになるが、上記構成の取水口用の塵芥除去手段によれば、取水口を画定すべく対向する一対の護岸の一方に、網場の一端側が上下方向に移動自在で且つ上下方向に延びる軸線周りで回転自在に取り付けられ、該網場を前記軸線周りで回転させて主流側と取水路側とに区切る状態と主流側に延出した状態とに切り換える切換手段を備えているので、切換手段によって網場を主流側に回転させて主流側に延出した状態にすると、網場によって通過が阻止された浮遊物やそれに潜り込んだ混入物等の塵芥は、回転した網場に対して主流の下流側に位置することになる。
【００１４】
そうすると、網場に漂着した塵芥が主流を流れる水の流れによって該主流の下流側に押し流され、網場から除去されることになる。そして、網場を元の状態に戻すことで、再び塵芥の通過を阻止した上で円滑な水の流通を確保できる状態にすることができる。また、網場の一端側が上下方向に移動自在に設けられているので、水位の変動に応じた配置にすることもできる。すなわち、フロートが水面上に浮くため、網場の一端側が上下方向に移動自在に設けられることで、水位が変動すると網場全体が上下に移動することになり、網場を水位に応じた配置にすることができる。
【００１５】
本発明の一態様として、前記切換手段は、他方の護岸に取り付けられ、主流側に延出して少なくとも先端側に滑車が設けられたアーム体と、他方の護岸に取り付けられ、前記滑車に掛けられたロープの両端が巻き付けられるウインチとを備え、前記ロープの一部が網場の他端側に連結されていることが好ましい。このようにすれば、ウインチを巻くことでアーム体の先端の滑車を基準にロープが行き来するため、該ロープの一部を網場の連結しておくことで、網場を回転させることができる。
【００１６】
本発明の他態様として、前記網場の一端側を支持する支持手段を備え、該支持手段は、一方の護岸に取り付けられ、上下方向に延びるガイドバーと、ガイドバーに対して軸心方向に移動可能で且つ前記軸心周りで回転自在に外嵌され、網場の一端部が連結された筒状の回転部材とを備えてもよい。このようにすれば、網場が回転部材と同様の動作を行うことができる。すなわち、網場を上下方向の移動及び上下方向に延びる軸線（ガイドバーの軸心）周りで回転が可能な状態で一方の護岸に取り付けることができる。
【００１７】
本発明の別の態様として、前記網場の一端側を支持する支持手段を備え、該支持手段は、上下方向に延びるレールと、網場の一端部が連結され、前記レールに沿って移動自在なスライダーと、一方の護岸に取り付けられ、レールが前記軸線周りで回転可能に連結されたヒンジとを備え、前記レールは、基端側が前記ヒンジに連結され、上下方向に延びて互いに対向する一対の対向部と、該一対の対向部の先端部から相手側の対向部に向けて突出した抜止部とを備え、前記スライダーは、前記抜止部間よりも幅広に設定されて一対の対向部間に介装される被案内部と、被案内部に連設されて前記抜止部間に介装されるとともに、網場の一端が直接的又は間接的に連結される連結首部とを備えてもよい。このようにすれば、スライダーがレールから脱落することなく該レールに沿って移動できるので、スライダーの連結首部に連結された網場を上下方向に移動自在に案内することができる。また、レールがヒンジに連結されているので、該レールに対して移動自在なスライダーに連結された網場を軸線周りで回転させることができる。
【００１８】
そして、前記他方の護岸に取り付けられ、網場の他端部を上下方向に案内するガイドレールを備え、前記ガイドレールは、上下方向に延びて互いに対向する一対の対向片部と、該対向片部の基端同士を連結する接続部とを備え、一対の対向片部間に網場の他端部が介在して該網場を案内する第一の規定位置と、一対の対向片部間から網場の他端部が離脱して該網場の案内を解除した第二の規定位置との間で位置変更可能に設けられてもよい。このようにすれば、ガイドレールを第一の規定位置に位置させた状態で、網場の他端部が離脱するのを防止しつつ上下方向に案内することができる一方で、ガイドレールを第二の規定位置に位置させた状態で、網場を回転させることができる。
【００１９】
また、前記他方の護岸に取り付けられ、網場の他端部を上下方向に案内するガイドレールを備え、前記ガイドレールは、上下方向に延びて互いに対向する一対の対向片部と、該対向片部の基端同士を連結する接続部とを備え、一方の対向片部が、接続部側で上下方向に延びる軸線周りで回転可能に設けられ、一対の対向片部間に網場の他端部を介在させることで上下方向に案内する一方、一方の対向片部を回転させることで、網場の回転を許容するように構成されてもよい。このようにすれば、網場の他端部をガイドレールで包囲した状態（一対の対向片部間に網場の他端部を介在させた状態）で上下方向に案内することができ、一方の対向片部を回転させることで網場の他端部と対向する部位が開放され、網場を回転させることもできる。
【発明の効果】
【００２０】
本発明に係る取水口用の塵芥除去設備によれば、網場に漂着した浮遊物をスクリーン側に流すことなく簡単に除去することができ、取水路の円滑な水の流通を確保することができるという優れた効果を奏し得る。
【発明を実施するための最良の形態】
【００２１】
以下、本発明の第一実施形態に係る取水口用の塵芥除去設備（以下、単に塵芥除去設備という。）について、添付図面を参照しつつ説明する。
【００２２】
かかる塵芥除去設備は、河川や河川を部分的に堰き止めたダム等の流れのある主流から分岐して発電装置に水を供給する取水路を備えた種々の水力発電設備に採用されるものであるが、本実施形態においては、一部を堰き止めてダムが形成された河川（主流）から取水する流れ込み式の水力発電設備に採用した場合を一例にして説明する。
【００２３】
ここで、流れ込み式の水力発電設備について概略説明すると、該水力発電設備は、図１に示す如く、河川Ｒ１を部分的に堰き止めるように堤体Ｂが設けられ、その堤体Ｂの上流側でタービン等の発電装置（図示しない）に繋がる取水路Ｒ２が分岐している。これにより、該水力発電設備Ｐは、河川Ｒ１から所定量の水を取水路Ｒ２に取水し、その水を発電装置に供給して発電する一方、取水量を超えた水が堤体Ｂから下流側に溢れ出るようになっている。そして、該水力発電設備Ｐは、取水路Ｒ２が分岐する一方の岸側に堤体Ｂと並ぶように排砂門Ｇが設けられており、該排砂門Ｇを開くことで水の流通に伴って沈殿した土砂を排出できるようになっている。
【００２４】
本実施形態に係る塵芥除去設備１は、上述のように上流側から下流側に水が流れる河川（主流）Ｒ１から分岐した取水路Ｒ２の取水口Ｅを対象に設けられるもので、図１及び図２に示す如く、河川Ｒ１から分岐した前記取水路Ｒ２の取水口Ｅ内に配置された金属製のスクリーン１０と、スクリーン１０の前段に配置される網場２０とを備えている。
【００２５】
前記スクリーン１０は、複数の桟が所定間隔をあけて並設されたり、桟を縦横に組んで格子状に形成されたりするもので、本実施形態においては、上下方向に延びる複数の桟１００…が取水路Ｒ２の幅方向に所定間隔をあけて並設されたものを採用している。これにより、スクリーン１０は、複数の桟１００…によって塵芥の通過を阻止し、桟１００…の間から水が流れるようになっている。
【００２６】
前記網場２０は、図２に示す如く、フロート（浮子）２００…と、フロート２００…の下方に連結された網材２１０とを備え、本実施形態においては、フロート２００…及び網材２１０を一体的にするフレーム２３０をさらに備えている。該網場２０は、前記フロート２００…及び網材２１０が河川Ｒ１（主流）側と取水路Ｒ２側とに区切るように配置される。
【００２７】
前記フロート２００…は、内部を空洞にした樹脂成形体や発砲樹脂等で構成され、水に浮くようになっている。そして、本実施形態において、単体のフロート２００…のサイズが取水口Ｅの全幅Ｗよりも小さいため、本実施形態に係る網場２０は、河川Ｒ１側と取水路Ｒ２側とに完全に区切ることができるように、複数のフロート２００…が直列に配置されている。そして、本実施形態に係る網場２０は、網材２１０及びフレーム２３０を備えているため、複数のフロート２００…は、網材２１０やフレーム２３０が存在しても水中に沈み込むことのないように浮力が設定されている。
【００２８】
前記網材２１０は、前記フレーム２３０を介して複数のフロート２００…に対して連結されている。該網材２１０は、取水口Ｅの幅Ｗ以上の長さに設定されるとともに、上下方向の幅が所定幅に設定されている。すなわち、この網材２１０は、取水口Ｅを画定する一対の護岸Ｓ１，Ｓ２の壁面間の距離以上の長さに設定されるとともに、上下方向の幅が水位の変動に伴って網場２０が上下移動することを許容する幅に設定されている。
【００２９】
前記フレーム２３０は、鋼材を組み合わせて形成されたもので、枠状に形成されている。具体的には、幅方向に間隔を開けて配置される一対の柱部２３１ａ，２３１ｂと、該一対の柱部２３１ａ，２３１ｂの上端同士及び下端同士を接続した一対の横梁部２３２ａ，２３２ｂと、該一対の横梁部２３２ａ，２３２ｂ間で一対の柱部２３１ａ，２３１ｂ同士を接続する中梁部２３３とで構成されている。本実施形態において、前記一対の横梁部２３２ａ，２３２ｂ及び中梁部２３３は、取水口Ｅの全幅Ｗ（対向する一対の護岸Ｓ１，Ｓ２の壁面の間隔）よりも長く設定されている。そして、複数のフロート２００…は、上端側の横梁部２３２ａと中梁部２３３との間に配置され、例えば、結束バンド等を用いて一方の横梁部２３２ａと中梁部２３３とに固定される。また、網材２１０は、一対の柱部２３１ａ，２３１ｂ、中梁部２３３、下側の横梁部２３２ｂで画定される四角形状の領域（空間）を閉じるように、枠状をなす一対の柱部２３１ａ，２３１ｂ、中梁部２３３、下側の横梁部２３２ｂに周縁部が固定されている。
【００３０】
上記構成の網場２０は、取水口Ｅを画定する一対の護岸Ｓ１，Ｓ２のうちの一方の護岸Ｓ１に、幅方向の一端側が上下方向にスライド可能で且つ上下方向に延びる軸線周りで回転自在に取り付けられている。これに伴って、本実施形態に係る塵芥除去設備１は、網場２０を前記軸線周りで回転させることで、該網場２０が河川Ｒ１側と取水路Ｒ２側とに区切る状態と河川Ｒ１側に延出した状態とに切り換える切換手段４０を備えている。
【００３１】
より具体的には、本実施形態に係る塵芥除去設備１は、前記一方の護岸Ｓ１に取り付けられ、網場２０の一端側を支持する支持手段３０を備えている。該支持手段３０は、図３及び図４に示す如く、前記護岸Ｓ１に取り付けられて上下方向に延びるガイドバー３００と、ガイドバー３００に対して軸線方向に移動可能で且つ前記軸線周りで回転自在に外嵌され、網場２０の一端部が連結された筒状の回転部材３１０とを備えている。
【００３２】
前記ガイドバー３００は、丸棒状に形成されており、上下端部に固定用のフランジ（採番しない）が設けられている。そして、該ガイドバー３００は、固定用のフランジが護岸Ｓ１の壁面に固定されることにより、該壁面に対して間隔をあけて配置されている。前記回転部材３１０は、内径がガイドバー３００の外径よりもやや大きく設定されており、ガイドバー３００に対して遊嵌されている。これにより、該回転部材３１０は、ガイドバー３００周り（軸戦周り）で回転可能で且つガイドバー３００に沿って（軸線方向に）移動自在に設けられている。そして、該回転部材３１０は、軸線に沿うように網場２０（フレーム２３０の一方の柱部２３１ａ）が外周に連結されている。
【００３３】
図２に戻り、本実施形態に係る塵芥除去設備１は、他方の護岸Ｓ２に網場２０の他端部を上下方向に案内するガイドレール５０が取り付けられている。本実施形態に係るガイドレール５０は、図５（ａ）及び図５（ｂ）に示す如く、互いに対向する一対の対向片部５００ａ，５００ｂと、該一対の対向片部５００ａ，５００ｂの基端同士を連結した接続片５０１とを備えた、いわゆる、Ｃ型綱が採用されている。
【００３４】
該ガイドレール５０は、他方の護岸Ｓ２側によった網場２０（河川Ｒ２側と取水路Ｒ２とに区切った網場２０）の他端部が一対の対向片部５００ａ，５００ｂ間に介在する第一の規定位置Ｐａと、網場２０の他端部が一対の対向片部５００ａ，５００ｂ間から離脱した第二の規定位置Ｐｂとの間で位置変更できるように、ヒンジ５１０を介して護岸Ｓ２の壁面に取り付けられている。
【００３５】
そして、作業者が護岸Ｓ２上からガイドレール５０を位置変更できるように、ガイドレール５０には、護岸Ｓ２上から操作可能なハンドル５２０が連設されている。該ハンドル５２０は、ガイドレール５０の上端から護岸Ｓ２上面よりもさらに上方に延びる棒状の起立部（採番しない）の上端部から該起立部の軸線に対して直交方向に延びるように設けられている。これにより、ハンドル５２０を操作することで、ガイドレール５０を位置変更できるようになっている。
【００３６】
本実施形態においては、ガイドレール５０を第一の規定位置Ｐａで位置決め（ロック）するロック手段５３０を備えている。該ロック手段５３０は、第一の規定位置Ｐａでガイドレール５０の回転を阻止できる構成であれば種々の態様を採用することができるが、本実施形態においては、ハンドル５２０の下部に垂設されたロック用のバー５３１と、護岸Ｓ２上面に固定されたベース板５３２に対し、その上面に沿うように回転するロック用のフック５３３とを備えており、ガイドレール５０が第一の規定位置Ｐａにある状態でロック用のバー５３１にフック５３３を掛止させることで、ハンドル５２０の回転を規制してガイドレール５０を第一の規定位置Ｐａで維持させるようになっている。なお、ロック用のフック５３３は、ハンドル５２０に対して回転力（ヒンジ５１０の軸線周りでの回転力）が作用したときに、ロック用のバー５３１を掛止してその移動を規制する一方、回転させてロック用のバー５３１に対する掛止状態を解除することでハンドル５２０の回転、すなわち、ガイドレール５０の位置変更を許容するようになっている。
【００３７】
図１及び図２に戻り、前記切換手段４０は、他方の護岸Ｓ２に固定されて河川Ｒ１（主流）側に延出し、先端部に滑車４００が設けられたアーム体４１０と、他方の護岸Ｓ２に固定され、前記滑車４００に掛けられたロープ４２０の両端が巻き付けられるウインチ４３０とを備えている。
【００３８】
前記アーム体４１０は、護岸Ｓ２の上面に固定されており、先端に向かうほど先細りに形成されている。本実施形態に係るアーム体４１０は、護岸Ｓ２の上面に固定されたベース４４０上に立設されたポール４５０に対し、該ポール４５０の軸線と交差するように延設されている。そして、該アーム体４１０は、平面視において、河川Ｒ１側と取水路Ｒ２側とに区切るように配置された網場２０に対して交差する方向に延び、先端部が最大回転状態（本実施形態においては、取水口Ｅを横切った状態から約５０°回転させた状態）にある網場２０の他端部の近傍に位置するように設けられている。本実施形態に係るアーム体４１０には、前記滑車４００に掛けられてＵ字状になったロープ４２０の一方側（一端側）を挿通させるガイドリング４１１…が軸線方向に間隔をあけて複数取り付けられている。
【００３９】
そして、該アーム体４１０は、長尺物であるため、本実施形態においてはポール４５０とアーム体４１０の途中位置とが線材４１２で連結されており、本実施形態においては、線材４１２の途中位置にターンバックル４１３を設けて該線材４１２の張力を適正に設定できるようになっている。
【００４０】
前記ウインチ４３０は、図１に示す如く、ロープ４２０を巻き付けるドラム４３１と、該ドラム４３１を軸支するフレーム４３２と、ドラム４３１を正逆転させるためのハンドル４３３とを備えている。そして、該ウインチ４３０は、ドラム４３１からのロープ４２０の引き出し方向が前記アーム体４１０の延出方向と略同方向になるように設けられている。
【００４１】
前記ロープ４２０には、ワイヤーが採用されている。該ロープ４２０は、上述の如く、アーム体４１０の先端部に設けられた滑車４００に掛けられ、一端側がアーム体４１０のガイドリング４１１…に挿通された上でウインチ４３０のドラム４３１に固定される一方、他端側がウインチ４３０のドラム４３１に固定されるとともにその一部が網場２０の他端上部（本実施形態においてはフレーム２３０の上部に設けられた環状の連結部４３４）に固着されている。これにより、ハンドル４３３を介してウインチ４３０のドラム４３１を正回転させ、ロープ４２０の他端側を該ドラム４３１に巻き付けるとともに、ロープ４２０の一端側がドラム４３１からひき出されることで、ロープ４２０の一部に固定された網場２０の他端が他方の護岸Ｓ２側に引き寄せられ、網場２０が取水口Ｅを横切った状態（河川Ｒ１側と取水路Ｒ２側とに区切った状態）になり、ハンドル４３３を介してウインチ４３０のドラム４３１を逆回転させ、ロープ４２０の一端側を該ドラム４３１に巻き付けるとともに、ロープ４２０の他端側がドラム４３１からひき出されることで、ロープ４２０の一部に固定された網場２０の他端が河川Ｒ１側に引っ張られて網場２０が回転し、網場２０が取水口Ｅを開放した状態になるようになっている。
【００４２】
なお、ウインチ４３０は、上述の如く、護岸Ｓ２の上面に配置されるのに対し、網場２０が護岸Ｓ２の上面よりも低い位置にあることから、ロープ４２０の他端が護岸Ｓ２と接触することになるため、本実施形態においては、図２に示す如く、護岸Ｓ２の上面と起立した壁面との境界近傍、及び網場２０の他端部近傍に滑車４００ａ，４００ｂを配置し、これらにロープ４２０を掛けるようにしている。これにより、ロープ４２０の伸長方向を変更しつつも該ロープ４２０の長手方向への移動を円滑に行えるようになっている。
【００４３】
次に、本実施形態に係る塵芥除去設備１の作動について説明すると、常態において、網場２０は、河川Ｒ１側と取水路Ｒ２側とに区切るように位置しているため、図６（ａ）に示す如く、河川Ｒ１から流れ込もうとする流木等の塵芥Ｄは網場２０によって通過が阻止される。そして、水に混ざった落ち葉等はスクリーン１０で除去されることになり、発電装置には塵芥の混入していない適正な水が供給される。これにより、発電装置（タービン）を破損させることなく効率よく発電が行われる。
【００４４】
そして、浮遊物等の塵芥Ｄが網場２０に漂着していくと、水の流入効率が悪くなるため、その塵芥Ｄを除去する必要がある。そこで、図５（ｂ）に示す如く、ロック用のフック５３３のロック用のバー５３１に対する掛止を解除し、ハンドル５２０を操作してガイドレール５０を第二の規定位置Ｐｂに位置変更する。そして、ウインチ４３０を操作してロープ４２０を移動させると、網場２０の他端側が河川Ｒ１側に引っ張られることになる。そして、図６（ｂ）に示す如く、網場２０が最大回転位置にまで到達して河川Ｒ１側に延出した状態になると、その網場２０の回転を停止する。そうすると、河川（主流）Ｒ１には、取水口Ｅに流れ込む以外に下流への流れがあるため、その水の流れにより、漂着した浮遊物（塵芥）Ｄが下流側に押し流されることになる。これにより、網場２０に漂着した塵芥Ｄがスクリーン１０側に流れることなく、主流としての河川Ｒ１の流れによって除去されることになる。
【００４５】
本実施形態においては、堤体Ｂと護岸Ｓ１との間に排砂門Ｇが設けられているので、その排砂門Ｇを開くことで網場２０のある位置に強い流れが生じ、塵芥Ｄを効率よく除去することができる。そして、塵芥Ｄの除去が完了すると、再度ウインチ４３０を操作して網場２０の他端側を護岸Ｓ２に引き寄せるように網場２０全体を回転させる。そして、図５（ａ）に示す如く、ハンドル５２０を操作してガイドレール５０を第一の規定位置Ｐａに戻すと、一対の対向部片５００ａ，５００ｂ間に網場２０（フレーム２３０）の他端部が介在し、上下方向に案内できる状態となる。この状態で、ロック用のバー５３１にロック用のフック５３３を掛止させることで、ハンドル５２０及びガイドレール５０の位置変更が規制され、上述の如く網場２０を上下方向に案内できる状態になる。なお、このように網場２０が取水口Ｅを横切った状態においては、網場２０が水位に変動に応じて上下に移動することができるように、ロープ４２０にテンションが作用しないように緩めておくことが好ましい。
【００４６】
これにより、図１及び図６（ａ）に示す如く、浮遊物を含む塵芥Ｄの通過を再度網場２０によって阻止できる状態となる。そして、水位の変動が生じても、網場２０は、ガイドバー３００及びガイドレール５０によって両端部が案内されつつ、フロート２００…の浮力で上下方向に移動し、適正な配置で塵芥の通過を阻止することになる。
【００４７】
以上のように、本実施形態に係る塵芥除去設備１によれば、河川Ｒ１から分岐した取水路Ｒ２の取水口Ｅ内に配置されたスクリーン１０と、スクリーン１０の前段に配置される網場２０とを備え、該網場２０は、フロート２００…と、フロート２００…の下方に連結された網材２１０とを備え、前記フロート２００…及び網材２１０が河川Ｒ１側と取水路Ｒ２側とに区切るように配置されるので、網場２０によって流木等の浮遊物がスクリーン１０側に通過するのを防止することができる。また、スクリーン１０により、網場２０を通過した水に混じった落ち葉等の混入物が取水路Ｒ２に流れ込むことを防止することができる。
【００４８】
そして、上記構成の取水口用の塵芥除去設備１によれば、取水口Ｅを画定すべく対向する一対の護岸Ｓ１，Ｓ２の一方Ｓ１に、網場２０の一端側が上下方向にスライド可能で且つ上下方向に延びる軸線周りで回転自在に取り付けられ、該網場２０を回転させる切換手段４０を備えているので、切換手段４０によって網場２０を河川Ｒ１側に回転させることで、網場２０に漂着した塵芥Ｄをスクリーン１０側に流すことなく確実に除去することができる。また、網場２０の一端側が上下方向に移動自在に設けられているので、水位の変動に応じた配置にすることもでき、浮遊物の通過を確実に阻止することができる。
【００４９】
また、他方の護岸Ｓ２に前記フレーム２３０の他端側を上下方向に案内するガイドレール５０が取り付けられ、前記ガイドレール５０は、フレーム２３０を案内する第一の規定位置Ｐａと、フレーム２３０の案内を解除した第二の規定位置Ｐｂとの間で位置変更可能に設けられているので、網場２０の他端部を離脱するのを防止しつつ上下方向に案内することができる状態と、網場２０が回転できる状態とに切り換えることができる。
【００５０】
そして、前記切換手段４０は、他方の護岸Ｓ２に取り付けられ、河川（主流）Ｒ１側に延出して少なくとも先端側に滑車４００が設けられたアーム体４１０と、他方の護岸Ｓ２に取り付けられ、前記アーム体４１０に掛けられたロープ４２０の両端が巻き付けられるウインチ４３０とを備え、前記ロープ４２０の一部が網場２０（フレーム２３０）の他端側に連結されているので、ウインチ４３０でロープ４２０を巻くだけで、網場２０を回転させることができる。
【００５１】
次に、本発明の第二実施形態に係る塵芥除去設備について説明する。なお、本実施形態に係る塵芥除去設備は、網場の一端側を支持する支持手段以外の構成が第一実施形態と同様であるため、ここでは同一名称及び同一符号を付して説明を割愛し、支持手段についてのみ説明する。
【００５２】
図７に示す如く、本実施形態に係る支持手段３５は、上下方向に延びるレール３５０と、レール３５０に沿って移動自在なスライダー３６０と、一方の護岸Ｓ１に取り付けられるとともにレール３５０が前記軸線周りで回転可能に連結されたヒンジ３７０とを備えている。
【００５３】
前記レール３５０は、図８に示す如く、基端側が前記ヒンジ３７０に連結され、上下方向に延びて互いに対向する一対の対向部３５１ａ，３５１ｂと、該一対の対向部３５１ａ，３５１ｂの先端部から相手側の対向部３５１ａ，３５１ｂに向けて突出した抜止部３５２ａ，３５２ｂとを備えている。
【００５４】
前記スライダー３６０は、前記抜止部３５２ａ，３５２ｂ間よりも幅広に設定されて一対の対向部３５１ａ，３５１ｂ間に介装される被案内部３６１と、該被案内部３６１に連設されて前記抜止部３５２ａ，３５２ｂ間に介装されるとともに、網場２０の一端が直接的又は間接的に連結される連結首部３６２とを備えている。
【００５５】
前記ヒンジ３７０は、図９に示す如く、護岸Ｓ１の壁面に取り付けられる第一部材３７１と、前記レール３５０が連結される第二部材３７２と、該第一部材３７１及び第二部材３７２とを上下方向に延びる軸線周りで回転可能に連結する連結棒材３７３とで構成されている。
【００５６】
前記第一部材３７１は、護岸Ｓ１の壁面に固定されるベースプレート３７１ａと、該ベースプレート３７１ａに連設され、前記連結棒材３７３が挿入される第一筒状部３７１ｂとを備えており、該第一筒状部３７１ｂの軸線が上下方向に延びるように前記ベースプレート３７１ａがアンカーボルト等によって護岸Ｓ１に固定されている。そして、本実施形態においては、前記第一部材３７１は、二つ設けられており、互いの第一筒状部３７１ｂが同心になるように上下方向に間隔をあけて護岸Ｓ１に固定されている。
【００５７】
前記第二部材３７２は、前記第一筒状部３７１ｂと同様に連結棒材３７３が挿入される筒状体であり、その外周面に前記レール３５０が連結されている。本実施形態において、前記第二部材３７２は、二つの第一部材３７１の第一筒状部３７１ｂ間、上側の第一筒状部３７１ｂに対して上側、下側の第一筒状部３７１ｂに対して下側に配置されており、これらがレール３５０によって一体的に連結されている。
【００５８】
前記連結棒材３７３は、大径の頭部３７３ａと、該頭部３７３ａに連設され、該頭部３７３ａよりも小径に設定された挿入部３７３ｂとを備えている。該連結棒材３７３は、頭部３７３ａを上側にして、二つの第一筒状部３７１ｂ及び三つの第二部材３７２に挿入部３７３ｂが挿入されるようになっている。なお、図示は省略するが、該連結棒材３７３は、挿入部３７３ｂの先端部が下方の第二部材３７２から延出し、その延出した部分に抜け止め用のピン（例えば、スプリングピンやテーパーピン等）が圧入されている。
【００５９】
以上のように、本実施形態に係る塵芥除去設備１によれば、抜止部３５２ａ，３５２ｂ間よりも幅広に設定されたスライダー３６０の被案内部３６１がレール３５０における一対の対向部３５１ａ，３５１ｂ間に介装されることにより、スライダー３６０がレール３５０から脱落することなく該レール３５０に沿って移動できる。これにより、スライダー３６０の連結首部３６２に連結された網場２０を上下方向に移動自在に案内することができる。また、レール３５０がヒンジ３７０に連結されているので、該レール３５０に対して移動自在なスライダー３６０に連結された網場２０を軸線周りで回転させることができる。
【００６０】
従って、本実施形態に係る塵芥除去設備１においても、網場２０の一端側が上下方向に移動可能で且つ回転可能に支持されているため、第一実施形態と同様に、簡単な作業で網場２０に漂着した塵芥Ｄをスクリーン１０側に流すことなく除去することができる。
【００６１】
尚、本発明の取水口用の塵芥除去設備は、上記実施形態に限定されるものではなく、本発明の要旨を逸脱しない範囲内において種々変更を加え得ることは勿論である。
【００６２】
上記各実施形態において、流れ込み式の水力発電設備Ｐを前提に説明したが、これに限定されるものではなく、本発明の塵芥除去設備１は、貯水池式、調整池式等の種々の水力発電設備Ｐにおける取水口Ｅに対して採用することができる。すなわち、流れのある主流から分岐した取水路Ｒ２を有する水力発電設備Ｐに採用することができる。従って、堤体Ｂや排砂門Ｇ等は必須ではなく、取水路Ｒ２が河川Ｒ１から単に分岐した設備であってもよい。
【００６３】
上記各実施形態において、網場２０に複数のフロート２００…を設け、これらが河川Ｒ１側と取水路Ｒ２側とに区切るように配置したが、これに限定されるものではなく、例えば、フロート２００…を長尺に形成し、一つのフロート２００…で河川Ｒ１側と取水路Ｒ２側とに区切るようにしてもよい。このようにしても、流木等の浮遊物の通過をフロート２００…で阻止することができる、但し、上述のようにフロート２００…を長尺に形成すると大型化して組立等の効率が低下するので、フロート２００…は取水口Ｅの幅Ｗや作業効率に応じて適宜数設けるようにすればよい。何れにしてもフロート２００…は、浮遊物の通過を阻止すべく、河川Ｒ１側と取水路Ｒ２側とに区切る（取水口Ｅの全幅Ｗに亘って横切る）ように設けることは言うまでもない。また、網材２１０も同様である。
【００６４】
また、上記実施形態において、フレーム２３０でフロート２００…と網材２１０とを一体的にしたが、例えば、フロート２００の下部に網材２２０を直接連結するようにしてもよい。但し、網場２０の一端側を上下方向に移動自在で且つ上下方向に延びる軸線周りで回転自在になるように護岸Ｓ１に取り付けることは勿論のことであり、また網場２０の他端側をガイドレール５０で案内する場合には、網場２０の他端部をガイドレール５０に対応した形態することは勿論のことである。
【００６５】
上記実施形態において、枠状をなすフレーム２３０に網材２２０の周縁部を固定するようにしたが、例えば、網材２２０の上端をフロート２００に直接的又は間接的に連結する一方、網材２００の下端に錘を取り付け、水中で網材２００が真っ直ぐ垂れ下がるようにしてもよい。
【００６６】
上記各実施形態において、一対の柱部２３１ａ，２３１ｂ、一対の横梁部２３２ａ，２３２ｂ、及び中梁部２３３で網場２０のフレーム２３０を構成したが、これに限定されるものではなく、例えば、一対の柱部２３１ａ，２３１ｂ及び中梁部２３３でフレーム２３０を構成し、フロート２００…及び網材２１０を該フレーム２３０に固定するようにしてもよい。
【００６７】
上記各実施形態において、切換手段４０にハンドル４３３を設けて手動で操作するようにしたが、これに限定されるものではなく、電動モータ等の駆動源からの駆動を受けてドラム４３１を回転させるようにしてもよい。
【００６８】
上記各実施形態において、切換手段４０としてアーム体４１０と、該アーム体４１０の先端に設けた滑車４００に掛けたロープ４２０の両端部を巻き付けるウインチ４３０とで構成したが、これに限定されるものではなく、例えば、切換手段４０は、網場２０の一端側をヒンジ５１０の軸線（軸体）周りで回転させるもの（例えば、ギアボックス）や、網場２０の一端側を押し引きして回転させるもの（例えば、シリンダ）などで構成してもよい。
【００６９】
また、図１０（ａ）及び図１０（ｂ）に示すように、切換手段４０は、護岸Ｓ１，Ｓ２上に配設された作業者が操作するハンドルＨと網場２０とを複数のリンク４６０，４６０で連結し、ハンドルＨを操作することで網場２０を押し引きできるように構成されたリンク機構であってもよい。図１０（ａ）に示す切換手段４０は、リンク機構４０を作動させるハンドルＨが、網場２０の一端側を支持した一方の護岸Ｓ１にあり、図１０（ｂ）に示す切換手段４０は、リンク機構４０を作動させるハンドルＨが、網場２０の他端側を案内するガイドレール５０を取り付けた他方の護岸Ｓ２にある。そのため、上述のようにガイドレール５０による網場２０のガイドを解除する操作が必要な場合には、図１０（ｂ）に示すようにハンドルＨが他方の護岸Ｓ２上に配設される切換手段４０を採用することが好ましい。また、このように切換手段４０にリンク機構を採用する場合、網場２０の上下移動を吸収できるように、図１０（ｃ）に示す如く、網場２０とリンク４６０との枢結構造としては、網場２０（フレーム２３０）の上部又はリンク４６０の先端部の何れか一方に筒状の支持体４６１を設け、他方に支持体４６１に挿入される軸体４６２を設け、支持体４６１と軸体４６２とが軸線方向に相対移動可能とすることが好ましい。但し、網場２０の一端側で押し引きすると該網場２０を回転させるのに大きな力が必要となるので、何れの場合もできる限り網場２０の一端（回転支点）から離れた位置（好ましくは、他端側）で押し引きして網場２０を回転させることが好ましい。
【００７０】
また、網場２０の一端側を支持する支持手段３０，３０は上記各実施形態に係るものに限定されるものではなく、例えば、一端側にある網場２０のフレーム２３０（一方の柱部２３１ａ）を円柱状に形成し、該柱部に対して筒状又は断面Ｃ字状のガイド体を外嵌するとともに、該ガイド体を護岸Ｓ２に固定するようにしてもよい。このようにしても、網場２０を上下方向に案内できるとともに柱部２３１ａの軸線周りで回転可能に支持することができる。
【００７１】
上記各実施形態において、網場２０の他端部を案内するガイドレール５０を設けたが、これに限定されるものではなく、例えば、支持手段３０によって網場２０の一端部のみを上下方向に案内できるようにしてもよい。このようにしても網場２０の上下方向の移動、及び軸線周りでの回転が可能となる。但し、このようにすると網場２０が河川Ｒ１から流れ込む水の水圧で護岸Ｓ２側に押されて上下方向の移動に対する抵抗が大きくなる可能性があるため、ガイドレール５０を設けることが好ましいことは言うまでもない。
【００７２】
上記各実施形態において、網場２０の他端部を案内するガイドレール５０を可動式にして第一の規定位置Ｐａと第二の規定位置Ｐｂとに位置変更できるようにしたが、これに限定されるものではなく、例えば、図１１（ａ）及び図１１（ｂ）に示す如く、ガイドレール５０を構成する一対の対向片部５００ａ，５００ｂのうち、河川Ｒ１側にある一方の対向片部５００ａの基端部（接続片５０１側）を上下方向の延びる軸線周りで回転可能に設けるようにしてもよい。このようにすることで、一対の対向片部５００ａ，５００ｂ間に網場２０（フレーム２３０）の他端部が介在している状態で、網場２０を上下方向に案内でき、一方の対向片部５００ａを河川Ｒ１側に回転させて開放することで、網場２０の回転を許容した状態になる。この場合においても、回転可能な部材（一方の対向片部５００ａ）に護岸Ｓ２から操作できるハンドル５２０を連設し、網場２０の他端部を案内している状態で一方の対向片部５００ａが回転しないように、ハンドル５２０の回転を阻止するロック手段５３０を設ければよい。このロック手段５３０は、上記各実施形態と同様のものを採用することができる。
【００７３】
また、ガイドレール５０を上記各実施形態と同様に、Ｃ型綱で構成し、一対の対向片部５００ａ，５００ｂの先端が河川Ｒ１側を向くように接続部５０１が他方の護岸Ｓ２の河川Ｒ１を画定する壁面に固定するようにしてもよい。このようにしても、網場２０の回転を許容し、塵芥の流通を阻止する状態（常態）において、網場２０の幅方向の移動を防止するこができる。このようにガイドレール５０を構成すると、ガイドレール５０によって河川Ｒ１側への移動が規制されないが、水が河川Ｒ１から取水口Ｅに流れ込むため、網場２０が河川Ｒ１側に押されて移動することはない。但し、網場２０を前後方向及び幅方向の移動を規制しつつ上下方向に網場２０を案内できるとともに、網場２０を河川Ｒ１側に回転できるようにするには、上記各実施形態にようにガイドレール５０を可動にすることが好ましことは言うまでもない。
【００７４】
上記各実施形態において、ウインチ４３０を護岸Ｓ２の上面に配置し、護岸Ｓ２に対するロープ４２０の接触を回避すべく滑車４００ａ，４００ｂを配置したが、例えば、ウインチ４３０のドラム４３１に対する鉛直方向の接線が護岸Ｓ２の壁面より河川Ｒ１側に位置するように、ウインチ４３０を河川Ｒ１側にせり出して配置するようにしてもよい。このようにすれば、護岸Ｓ２に滑車４００を設けなくてもロープ４２０が護岸Ｓ２に接触することがなくロープ４２０の巻き取りや引き出しを円滑に行うことができる。
【００７５】
上記各実施形態において、アーム体４１０をポール４５０に固定したが、これに限定されるものではなく、例えば、アーム体４１０をポール４５０の軸線周りで回転可能に設けてもよい。このようにすれば、網場２０の位置変更に応じてアーム体４１０が適宜回転するので、網場２０を移動させるロープ４２０に過度の付加が作用することを抑制することができる。
【００７６】
上記各実施形態において、フレーム２３０の幅を取水口Ｅの全幅Ｗよりも幅広に形成し、網場２０が河川Ｒ１側と取水路Ｒ２側とに区画した状態で、該フレーム２３０の他端部が他方の護岸Ｓ２の河川Ｒ１側の壁面に重なるように構成したが、これに限定されるものではなく、例えば、取水口Ｅを画定する一対の護岸Ｓ１，Ｓ２の壁面間に介装できるように網場２０の幅を設定してよい。但し、河川Ｒ１からの浮遊物（塵芥Ｄ）を遮るように、網場２０（フロート２００及び網材２１０）が河川Ｒ１側と取水路Ｒ２側とに区切った状態になり、また、一端側が上下方向に移動自在で且つ上下方向に延びる軸線周りで回転可能に一方の護岸Ｓ１に取り付けられることは勿論のことである。
【００７７】
そして、この場合、網場２０の他端部が取水口Ｅ内にあるため、水圧でスクリーン１０側に回転するのを阻止すべく、ガイドレール５０で網場２０の他端部を案内するようにするか、網場２０の他端が取水路Ｒ２の下流側に押されて移動するのを規制するための規制手段を設けることは言うまでもない。
【図面の簡単な説明】
【００７８】
【図１】本発明の第一実施形態に係る取水口用の塵芥除去設備を含んだ水力発電接部の部分平面図を示す。
【図２】第一実施形態に係る取水口用の塵芥除去設備の正面図であって、河川（主流）側から見た図を示す。
【図３】第一実施形態に係る取水口用の塵芥除去設備の部分縦断面図（支持手段及び網場の一部を含む部分断面図）を示す
【図４】第一実施形態に係る取水口用の塵芥除去設備の部分拡大平面図（支持手段及び網場の一部を含む部分拡大平面図）を示す。
【図５】第一実施形態に係る取水口用の塵芥除去設備のガイドレール及びその周辺の説明図であって、（ａ）は、網場の他端部をガイドした状態（ガイドレールが第一の規定位置にある状態）を示し、（ｂ）は、網場の他端部のガイドを解除した状態（ガイドレールが第二の規定位置にある状態）を示す。
【図６】第一実施形態に係る取水口用の塵芥除去設備の説明図であって、（ａ）は、浮遊物等の塵芥が網場に漂着している状態を示し、（ｂ）は、網場に漂着した塵芥を除去する状態を示す。
【図７】本発明の第二実施形態に係る取水口用の塵芥除去設備の正面図であって、河川（主流）側から見た図を示す。
【図８】第二実施形態に係る取水口用の塵芥除去設備の部分拡大平面図（支持手段及び網場の一部を含む部分拡大平面図）を示す。
【図９】第二実施形態に係る取水口用の塵芥除去設備の部分縦断面図（支持手段及び網場の一部を含む部分断面図）を示す
【図１０】本発明の他実施形態に係る取水口用の塵芥除去設備の説明図であって、（ａ）は、切換手段がリンク機構で構成され、作業者が操作するハンドルが主流における下流側にある一方の護岸に設けられた塵芥除去設備の平面図を示し、（ｂ）は、切換手段がリンク機構で構成され、作業者が操作するハンドルが主流における上流側にある他方の護岸に設けられた塵芥除去設備の平面図を示し、（ｃ）は、網場とリンク機構との接続態様を説明するための部分断面図を示す。
【図１１】本発明の別の実施形態に係る取水口用の塵芥除去設備のガイドレール及びその周辺の説明図であって、（ａ）は、網場の他端部をガイドした状態を示し、（ｂ）は、網場の他端部のガイドを解除した状態を示す。
【符号の説明】
【００７９】
１…塵芥除去設備、１０…スクリーン、２０…網場、３０…支持手段、３５…支持手段、４０…切換手段、５０…ガイドレール、１００…桟、２００…フロート、２１０…網材、２３０…フレーム、２３１ａ，２３１ｂ…柱部、２３２ａ，２３２ｂ…横梁部、２３３…中梁部、２３５…フレーム、３００…ガイドバー、３１０…回転部材、３５０…レール、３５１ａ，３５１ｂ…対向部、３５２ａ，３５２ｂ…抜止部、３６０…スライダー、３６１…被案内部、３６２…連結首部、３７０…ヒンジ、３７１…第一部材、３７１ａ…ベースプレート、３７１ｂ…第一筒状部、３７２…第二部材、３７３…連結棒材、３７３ａ…頭部、３７３ｂ…挿入部、４００…滑車、４００ａ，４００ｂ…滑車、４１０…アーム体、４１１…ガイドリング、４１２…線材、４１３…ターンバックル、４２０…ロープ、４３０…ウインチ、４３１…ドラム、４３２…フレーム、４３３…ハンドル、４３４…連結部、４４０…ベース、４５０…ポール、４６０…リンク、４６１…支持体、４６２…軸体、５００ａ，５００ｂ…対向片部、５０１…接続片、５１０…ヒンジ、５２０…ハンドル、５３０…ロック手段、５３１…バー、５３２…ベース板、５３３…フック、Ｂ…堤体、Ｅ…取水口、Ｇ…排砂門、Ｈ…ハンドル、Ｐ…水力発電設備、Ｐａ…規定位置、Ｐｂ…規定位置、Ｒ１…河川、Ｒ２…取水路、Ｓ，Ｓ２…護岸
【図１】
0004757268.tif 000002
【図２】
0004757268.tif 000003
【図３】
0004757268.tif 000004
【図４】
0004757268.tif 000005
【図５】
0004757268.tif 000006
【図６】
0004757268.tif 000007
【図７】
0004757268.tif 000008
【図８】
0004757268.tif 000009
【図９】
0004757268.tif 000010
【図１０】
0004757268.tif 000011
【図１１】
0004757268.tif 000012